(57)【要約】【課題】人感センサにより人体の存在を検知したときに脱衣室を加温する暖房機において、ユーザが浴室に入り人感センサが人体の不在を検知すると、加温を停止してしまう。【解決手段】暖房機であって、空気を加温する加温部と、加温部の周囲の照明状況を認識する照明状況認識部と、照明状況認識部によって認識された照明状況に基づき、加温部を制御する制御部とを有する。【選択図】図５
2020134113.tif 000002
【特許請求の範囲】
【請求項１】
空気を加温する加温部と、
前記加温部の周囲の照明状況を認識する照明状況認識部と、
前記照明状況認識部によって認識された照明状況に基づき、前記加温部を制御する制御部と、
を有することを特徴とする暖房機。
【請求項２】
前記照明状況認識部が照度を検知する照度センサであり、
前記制御部は、前記照度センサが検知した照度に基づいて、前記空気を加温することを特徴とする請求項１に記載の暖房機。
【請求項３】
前記制御部は、前記照度センサが検知した照度が所定の照度以上の場合に、第１の強度で前記空気を加温することを特徴とする請求項２に記載の暖房機。
【請求項４】
前記制御部は、前記第１の強度で前記空気の加温を開始してから所定期間経過後に、前記第１の強度より強い第２の強度で前記空気を加温することを特徴とする請求項３に記載の暖房機。
【請求項５】
前記制御部は、前記照度センサが検知した照度が所定の照度より小さい場合には、さらに、ユーザが単数か複数かを示す情報に基づいて、前記加温部を制御することを特徴とする請求項２乃至４のいずれかに記載の暖房機。
【請求項６】
前記暖房機は、さらに、人を検知する人感センサを有し、
前記制御部は、前記照明状況認識部及び前記人感センサの結果に基づいて、前記加温部を制御することを特徴とする請求項１乃至５のいずれかに記載する暖房機。
【発明の詳細な説明】
【技術分野】
【０００１】
本発明は、暖房機に関する。
【背景技術】
【０００２】
特許文献１には、空気を加熱する温風機構と、人を検知する人体検知部と、人体検知部による検知信号から、人の在、不在を判定し、運転を制御する制御部を備えた暖房機が開示されている。当該暖房機は、使用者が不在と判定した場合、運転を停止する。
【先行技術文献】
【特許文献】
【０００３】
【特許文献１】特開２０１５−３８４１６号公報
【発明の概要】
【発明が解決しようとする課題】
【０００４】
しかしながら、特許文献１において示される暖房機は、脱衣室に設定した場合、ユーザが浴室に入ると、運転を停止してしまう。そして、ユーザが風呂から上がって、脱衣室に出たときには停止しており、ユーザが寒い思いをする場合があるという課題がある。
【課題を解決するための手段】
【０００５】
本発明の暖房機は、空気を加温する加温部と、加温部の周囲の照明状況を認識する照明状況認識部と、照明状況認識部によって認識された照明状況に基づき加温部を制御する制御部と、を有することを特徴とする。
【図面の簡単な説明】
【０００６】
【図１】第１の実施形態にかかる暖房機の一例を示す斜視図である。
【図２】図１の暖房機の断面図である。
【図３】第１の実施形態にかかる暖房機の制御ブロックの一例を示す図である。
【図４】第１の実施形態における暖房機の制御部の機能的構成の一例を示す図である。
【図５】第１の実施形態にかかる暖房機の処理フローの一例を示す図である。
【発明を実施するための形態】
【０００７】
以下、本発明の第１の実施形態について、図面を参照しつつ説明する。なお、図面については、同一又は同等の要素には同一の符号を付し、重複する説明は省略する。
＜第１の実施形態＞
【０００８】
図１は、第１の実施形態にかかる暖房機１００の外観の一例を示す斜視図である。図２は、図１の暖房機１００の断面図である。暖房機１００は、室内の空気を加温する機器であって、例えば、脱衣室に設置される暖房機である。図１及び図２に基づいて本実施形態にかかる暖房機１００の構成について説明する。なお、矢印Ｓは空気の流れを示している。
【０００９】
暖房機１００の外部の構成は、筐体１０１、吹出口１０２、吸込口１０３、操作部１０４、表示部１０５を含む。
【００１０】
筐体１０１は、例えば、丸みを帯びたクサビ形状に成形されている。吸込口１０３は、例えば、筐体１０１の背面に設けられ、室内の空気を吸い込む。吹出口１０２は、例えば、筐体１０１の前面に設けられ、暖房機１００で加温した空気を吹き出す。
【００１１】
操作部１０４は、例えば、筐体１０１の前面上部に設けられる。操作部１０４は、例えば、複数のボタン（図示せず）を有し、使用者の操作によって暖房機１００の動作設定を行う。表示部１０５は、例えば、筐体１０１の前面上部に設けられる。表示部１０５は、例えば、液晶ディスプレイであって、後述する制御部３０１から送られる情報を表示する。
【００１２】
暖房機１００の内部の構成は、送風機２０１、ヒータ２０２を含む。吸込口１０３から吹出口１０２に向かって（気流の上流から下流に向かって）順に送風機２０１、ヒータ２０２が設けられる。
【００１３】
送風機２０１は、例えば、モータ２０３及び、モータ２０３に駆動されるファン２０４を含む。ファン２０４が回転することにより、吸込口１０３から室内の空気を吸い込み、吹出口１０２に向かって排気する。
【００１４】
ヒータ２０２は、例えば、電熱線であって、送風機２０１によって吸い込まれた空気を加温する。電熱線は、一例であって、ヒータ２０２はヒートポンプであっても良い。加温された空気は、吹出口１０２から排気される。
【００１５】
図３は暖房機１００の制御ブロックの一例を示す図である。暖房機１００は、制御部３０１、記憶部３０２、操作部１０４、表示部１０５、加温部３０３、照度センサ３０４、及び人感センサ３０５を含む。制御部３０１は、記憶部３０２、操作部１０４、表示部１０５、加温部３０３、照度センサ３０４、及び人感センサ３０５が接続され、暖房機１００を制御する。暖房機１００の構成は、これらに限定されるものではない。
【００１６】
制御部３０１は、プロセッサであって、例えばＭＣＵ（Ｍｉｃｒｏ  Ｃｏｎｔｒｏｌ  Ｕｎｉｔ）である。制御部３０１は記憶部３０２に格納されるプログラムに従って各種の情報処理を実行する。記憶部３０２は、例えばフラッシュメモリであって、制御部３０１で実行するプログラム及びデータを記憶する。プログラム及びデータは、例えば、暖房機１００製造時に記憶部３０２に格納してもよいし、ネットワークを介しダウンロードし、記憶部３０２に格納してもよい。
【００１７】
操作部１０４は、例えば、電源キー（図示せず）、スタートキー（図示せず）等各種操作ボタンを備えている。ユーザからの操作部１０４の入力により制御部３０１がプログラムの実行を行う。表示部１０５は、制御部３０１によって制御され、例えば、暖房機１００の操作画面や動作状態を表示する。
【００１８】
加温部３０３は、例えば、モータ２０３及びヒータ２０２を含む。モータ２０３、及びヒータ２０２は、駆動回路（図示せず）を介して、制御部３０１からの信号によって制御される。モータ２０３、及びヒータ２０２は制御部３０１からの信号によってＯＮされると、モータ２０３は回転し、ヒータ２０２は加熱する。そして、吸込口１０３から室内の空気を吸い込み、吸い込んだ空気を加温し、吹出口１０２に向かって排気する。
【００１９】
照度センサ３０４は、照度を検知するセンサである。具体的には、例えば、フォトダイオードであって、入射する光の照度に応じた信号を制御部３０１に出力する。照度センサ３０４は、暖房機１００の、例えば、上部に設けられる。
【００２０】
人感センサ３０５は、センサの周囲の人を検知するセンサである。具体的には、例えば、赤外線センサである。赤外線センサは、人体などの温度をもつものから放射されている赤外線を受信し、受信した赤外線強度に応じた信号を制御部３０１に出力する。人感センサ３０５は、暖房機１００の、例えば、前面に設けられ、暖房機１００の周囲の赤外線を検知する。
【００２１】
なお、図３に示した暖房機１００の制御ブロックは、一例であって、これに限定されるものではない。
【００２２】
図４は、本実施形態における暖房機１００の制御部３０１の機能的構成の一例を示す図である。図４に示すように、暖房機１００の制御部３０１は、例えば、機能ブロックとして、人存否判定部４０１、加温制御部４０２、照度取得部４０３、照度判定部４０４、タイマ部４０５、及びモード判定部４０６を含む。
【００２３】
人存否判定部４０１は、暖房機１００の周囲に人が存するか否を判定する。具体的には、例えば、暖房機１００に設けた人感センサ３０５が検知した信号が、所定の閾値以上であるか否を判定する。人感センサ３０５が検知した信号が、所定の閾値以上である場合には、暖房機１００の周囲に人が存すると判定し、所定の閾値より小さい場合には、暖房機１００の周囲に人が存しないと判定する。
【００２４】
加温制御部４０２は、人存否判定部４０１、照度判定部４０４、タイマ部４０５、及びモード判定部４０６の判定に基づき、加温部３０３を制御する。
【００２５】
具体的には、人存否判定部４０１が暖房機１００の周囲に人が存すると判定した場合には、加温制御部４０２は加温部３０３のヒータ２０２を第２の強度、例えば６００Ｗの電熱線を６００Ｗで駆動するように制御する（以下、「ヒータ強」という。）。
【００２６】
つぎに、後述する照度判定部４０４が所定の照度以上と判定した場合には、加温制御部４０２は加温部３０３のヒータ２０２を第１の強度、例えば６００Ｗの電熱線を２００Ｗで駆動するように制御する（以下、「ヒータ弱」という。）。そして、後述するタイマ部４０５が所定期間（後述する「入浴期間」）を経過したと判定した場合には、加温制御部４０２はヒータ２０２部をヒータ強に制御する。
【００２７】
さらに、モード情報が複数であり、全員の入浴がまだ完了していないと後述するモード判定部４０６が判定した場合、加温制御部４０２はヒータ２０２部をヒータ弱に制御する。ここで、モード情報は暖房機１００を使用するユーザの人数が単数か複数かを示す情報である。そして、所定期間（後述する「ユーザ待ち期間」）を経過したと、後述するタイマ部４０５が判定した場合には、加温制御部４０２は加温部３０３のヒータ２０２を停止するように制御する。一方、モード情報が示す内容が単数であると、モード判定部４０６が判定した場合、加温制御部４０２は加温部３０３のヒータ２０２を停止するように制御する。
【００２８】
なお、加温制御部４０２は、ヒータ２０２の強度が増加するに伴い、モータ２０３の回転数を上げるように制御してもよい。また、加温制御部４０２は、ヒータ２０２の駆動を開始し、予め設定した期間経過した後、ヒータ２０２の駆動を停止するように制御してもよい。
【００２９】
照度取得部４０３は、暖房機１００の周囲の照明状況を示す情報を取得し、照度判定部４０４に照明状況を示す情報を出力する。照明状況は、例えば暖房機１００の周囲の照度である。以下、照度で説明する。照度は、例えば、暖房機１００に設けた照度センサ３０４で検知する。照度センサ３０４は、照度に応じた信号を制御部３０１に出力する。そして、制御部３０１は、照度を示す情報を取得する。
【００３０】
照度判定部４０４は、照度取得部４０３が取得した照度を示す情報に基づき、所定の照度以上か否かを判定する。具体的には、例えば、照度センサ３０４が検知した信号が、所定の照度以上か否かを判定する。所定の照度は、例えば、浴室の照明装置がドア越しに脱衣室を照らす照度に基づき設定する（以下、所定の照度を「入浴中照度」という。）。一般的に入浴中には、ユーザは浴室の照明装置をＯＮし、脱衣室の照明装置をＯＦＦにする。従って、脱衣室の照度が入浴中照度以上の照度であると判定できる場合は、ユーザは入浴中であると想定し得る。一方、ユーザが脱衣室及び浴室のいずれにもいないとき、ユーザは脱衣室及び浴室の照明装置をＯＦＦする。従って、脱衣室の照度が入浴中照度より低いと判定できる場合、ユーザは脱衣室及び浴室のいずれにもいないと想定し得る。入浴中照度は、例えば、暖房機１００製造時に設定する。そして、判定結果を、加温制御部４０２、後述するタイマ部４０５、及び後述するモード判定部４０６に出力する。
【００３１】
タイマ部４０５は、照度を示す情報は入浴中照度以上であると照度判定部４０４が判定した場合、時間の計時を開始する。そして、タイマ部４０５は、ユーザが入浴し脱衣室に出ると想定される所定期間（以下、「入浴判定期間」という。）を経過したか否かを判定する。タイマ部４０５が入浴判定期間が経過したと判定した場合には、タイマ部４０５は判定結果を加温制御部４０２に出力する。ここで、入浴判定期間は、例えば暖房機１００の製造時に設定し、例えば一般的にユーザが入浴する平均の期間に設定しても良いが、これに限定されるものではない。例えば、次のように行う。ユーザが入浴する際のフローは、一般に脱衣室に入り、脱衣室の照明を点灯し、浴室の照明を点灯し、脱衣室の照明を消灯し、浴室に入り、脱衣室に出て、脱衣室を出ると進む。この時、ユーザが浴室に入る際、浴室の照明を点灯し、脱衣室の照明を消灯するので、照度判定部４０４は入浴中照度以上であると判定する。そして、ユーザが脱衣室に出た際には、暖房機１００の周囲に立つので、人存否判定部４０１は人が存すると判定する。従って、照度判定部４０４が入浴中照度以上であると判定し、人存否判定部４０１が人は存すると判定するまでの期間（以下、「入浴期間」という。）は、ユーザが入浴し脱衣室に出る期間と想定し得る。なお、入浴期間は、ユーザが入浴するごとに異なる場合がある。この場合、例えば、制御部３０１はユーザが入浴するごとの入浴期間を記憶する。そして、記憶した入浴期間の内、最短の入浴期間を、制御部３０１は入浴判定期間と設定する。入浴判定期間が最短の入浴期間に設定されているので、入浴判定期間経過までにユーザが脱衣室に出てくる確率を高めることができる。具体的には、例えば、制御部３０１は前回ユーザが入浴した際の入浴期間と、次にユーザが入浴した際の入浴期間を比較し、短い方の入浴期間をその次の入浴判定期間として設定する。
【００３２】
また、タイマ部４０５は、モード情報が示す内容は複数であり、全員の入浴がまだ完了していないと後述するモード判定部４０６が判定した場合には、時間の計時を開始する。そして、タイマ部４０５は、第１のユーザが入浴し、第２のユーザが入浴すると想定される所定期間（以下、「ユーザ待ち期間」という。）を経過したか否かを判定する。ユーザ待ち期間は、暖房機１００製造時に設定し、例えば一般的に第１のユーザが入浴し、第２のユーザが入浴する平均の期間に設定してもよいが、これに限定されるものではない。例えば、次のように行う。第１のユーザが入浴し、第２のユーザが入浴するフローは、例えば、第１のユーザが脱衣室に入り、脱衣室の照明を点灯し、浴室の照明を点灯し、脱衣室の照明を消灯し、浴室に入り、浴室を出て、脱衣室を出る。そして、第２のユーザも第１のユーザと同様のフローで入浴する。この時、第１のユーザが入浴する際、浴室の照明を点灯し、脱衣室の照明を消灯するので、照度判定部４０４は入浴中照度以上であると判定する。そして、第２のユーザも入浴する際、浴室の照明を点灯し、脱衣室の照明を消灯するので、照度判定部４０４は入浴中照度以上であると判定する。従って、１回目の入浴中照度以上であるとの判定から、２回目の入浴中照度以上であるとの判定までの期間は、第１のユーザが入浴し、第２のユーザが入浴するまでの期間（以下、「入浴間隔期間」という。）と想定し得る。なお、入浴間隔期間は、第１及び第２のユーザが入浴する度に異なる場合がある。この場合、例えば、制御部３０１は第１及び第２のユーザが入浴する度毎の入浴間隔期間を記憶する。そして、入浴間隔期間の内、例えば、最長の入浴間隔期間を、制御部３０１はユーザ待ち期間に設定する。最長の入浴間隔期間にユーザ待ち期間を設定することで、ユーザ待ち期間経過までに第２のユーザが入浴する可能性を高めることができる。具体的には、例えば、制御部３０１は前回の入浴間隔期間と、次の入浴間隔期間を比較し、長い方の入浴間隔期間をその次のユーザ待ち期間として設定する。
【００３３】
モード判定部４０６は、照度を示す情報は入浴中照度より小さいと照度判定部４０４が判定した場合、モード情報が示す内容が単数なのか、複数の場合には全員入浴が完了しているのかを判定する。そして、モード判定部４０６は判定結果を加温制御部４０２及びタイマ部４０５に出力する。なお、モード情報は、例えば、暖房機１００設置時に、ユーザが操作部１０４を操作し設定する。例えば、設定されたモード情報は記憶部３０２に記憶される。
【００３４】
なお、図４に示した制御部３０１の機能的構成は一例であって、これに限定されるものではない。
【００３５】
図５は、本実施形態にかかる暖房機１００の処理フローの一例を示す図である。本処理フローは、ユーザが一般的に入浴するフロー、すなわち、脱衣室に入り、脱衣室の照明を点灯し、浴室の照明を点灯し、脱衣室の照明を消灯し、浴室に入り、体を洗うなどした後、浴室を出て、浴室・脱衣室の照明を消灯し、脱衣室を出る場合について説明するものである。ユーザが複数である場合も、各ユーザは前述の一般的入浴フローで入浴するとして説明する。
【００３６】
図５に示すように、ユーザが脱衣室に入ると、まず、人存否判定部４０１は、暖房機１００の周囲に人が存するか否かを判定する（Ｓ１０１）。具体的には、人存否判定部４０１は、例えば、暖房機１００に設けた人感センサ３０５が検知した信号が、所定の閾値以上である場合には、暖房機１００の周囲に人が存すると判定し、所定の閾値より小さい場合には、暖房機１００の周囲に人が存しないと判定する。そして、人存否判定部４０１が、暖房機１００の周囲に人が存すると判定した場合には（Ｓ１０１のＹＥＳ）、加温制御部４０２は、ヒータ２０２部をヒータ強に制御する（Ｓ１０２）。当該場合（Ｓ１０１のＹＥＳ）は、ユーザが脱衣室に入り、ユーザは脱衣室に設置された暖房機１００の前に立ったと想定される状態である。従って、人存否判定部４０１は、暖房機１００の周囲に人が存すると判定し、加温制御部４０２は脱衣室をヒータ強で温める。
【００３７】
一方、人存否判定部４０１が、暖房機１００の周囲に人が存しないと判定した場合には（Ｓ１０１のＮＯ）、照度判定部４０４は、照明を示す情報に基づき、所定の照度以上か否かを判定する。具体的には、例えば、照度センサ３０４が検知した信号が入浴中照度以上か否かを判定する（Ｓ１０３）。すなわち、ユーザは浴室に入る場合、具体的には、例えば浴室の照明装置をＯＮし、脱衣室の照明装置をＯＦＦにする。なお、脱衣室の照明装置はＯＮであってもよい。従って、照度判定部４０４が入浴中照度以上と判定した場合（Ｓ１０３のＹＥＳ）、ユーザは浴室に入っていると想定でき、加温制御部４０２はヒータ２０２部をヒータ弱に制御する（Ｓ１０４）。従って、ユーザが浴室に入っていると想定されるとき、脱衣室はヒータ弱で温められる。
【００３８】
次に、タイマ部４０５は、時間の計時を開始する（Ｓ１０５）。そして、タイマ部４０５は、入浴判定期間を経過したか否かを判定（Ｓ１０６）する。タイマ部４０５が、入浴判定期間を経過したと判定した場合には（Ｓ１０６のＹＥＳ）、加温制御部４０２はヒータ２０２をヒータ強に制御する（Ｓ１０７）。そして浴室・脱衣所の照明が消灯されたと判定すると、入浴完了人数に１を加える（Ｓ１１６、Ｓ１１７）。そして、Ｓ１０９に進む。従って、入浴判定期間中、すなわちユーザが浴室に入っていると想定される間は、脱衣室はヒータ弱で温められる。そして、入浴判定期間経過後、すなわちユーザが脱衣室に出てくると想定されるとき、脱衣室はヒータ強で温められる。これにより、ユーザが浴室に入っていると想定される期間は、加温の強度を下げ、消費電力を低減し得る。一方、ユーザが脱衣室に出てくると想定される時には、予めヒータ弱で温められている脱衣室をヒータ強で温めるので、速やかに脱衣室の温度を高めることができ得る。
【００３９】
一方、タイマ部４０５が、入浴判定期間を経過しないと判定した場合には（Ｓ１０６のＮＯ）、人存否判定部４０１は、暖房機１００の周囲に人が存するか否を判定する（Ｓ１０８）。入浴判定期間経過前であってもユーザが浴室から出て脱衣室に入る場合がある。そこで、人存否判定部４０１が暖房機１００の周囲に人が存すると判定した場合（Ｓ１０８のＹＥＳ）、すなわちユーザが浴室を出たと想定される場合には、加温制御部４０２はヒータ２０２部をヒータ強に制御する（Ｓ１０７）。そして浴室・脱衣所の照明が消灯されたと判定すると、入浴完了人数に１を加える（Ｓ１１６、Ｓ１１７）。そして、Ｓ１０９に進む。一方、周囲に人が存しないと判定した場合（Ｓ１０８のＮＯ）には、再びタイマ部４０５は入浴判定期間を経過したか否かを判定する（Ｓ１０６）。従って、入浴判定期間経過前にユーザが浴室から出た場合であっても、直ちに、脱衣室は加温される。
【００４０】
一方、Ｓ１０３において、照度判定部４０４が、照度を示す情報は入浴中照度より小さいと判定した場合（Ｓ１０３のＮＯ）、すなわち脱衣室及び浴室のいずれにもユーザは居ないと想定される場合、モード判定部４０６は、モード情報が示す内容が単数か複数かを判定する（Ｓ１０９）。そして、モード判定部４０６が、モード情報が示す内容が単数と判定した場合には（Ｓ１０９のＮＯ）、加温制御部４０２は、加温部３０３のヒータ２０２を停止するように制御する（Ｓ１１０）。そして、制御を終了する。当該場合（Ｓ１０９のＮＯ）は、ユーザは単数であり、脱衣室及び浴室のいずれにもいない状態である。従って、加温制御部４０２が加温部３０３のヒータ２０２を停止するように制御することで、電力消費を止めることができる。
【００４１】
一方、Ｓ１０９において、モード判定部４０６が、モード情報が示す内容が複数（Ｓ１０９のＹＥＳ）、すなわち、ユーザは複数である場合には、全員の入浴が完了したかどうかを判定し（Ｓ１１８）、完了していなければ、加温制御部４０２は、ヒータ２０２部をヒータ弱に制御する（Ｓ１１１）。完了していれば、加温制御部４０２は、加温部３０３のヒータ２０２を停止するように制御する（Ｓ１１０）。そして、制御を終了する。
【００４２】
次に、タイマ部４０５は、時間の計時を開始する（Ｓ１１２）。そして、タイマ部４０５は、ユーザ待ち期間を経過したか否かを判定（Ｓ１１３）する。タイマ部４０５が、ユーザ待ち期間を経過したと判定した場合には（Ｓ１１３のＹＥＳ）、加温制御部４０２は、加温部３０３のヒータ２０２を停止するように制御する（Ｓ１１０）。そして制御を終了する。当該場合（Ｓ１１３のＹＥＳ）は、ユーザ待ち期間経過まで、第２のユーザが来ると予想して、ヒータ弱で脱衣室を加温していたが、第２のユーザが来なかった状態である。従って、ユーザ待ち期間が経過した後、ヒータ２０２を停止するように制御することで、電力消費を止めることができる。なお、ユーザに督促を報知する報知部を暖房機１００に設け、タイマ部４０５が、ユーザ待ち期間を経過したと判定した場合に、報知部がユーザに対し入浴を督促する報知をするように構成してもよい。
【００４３】
一方、タイマ部４０５が、ユーザ待ち期間を経過しない判定した場合に（Ｓ１１３のＮＯ）、人存否判定部４０１は、暖房機１００の周囲に人が存するか否かを判定する（Ｓ１１４）。暖房機１００の周囲に人が存しないと判定した場合（Ｓ１１４のＮＯ）には、再びユーザ待ち期間を経過したか否かを判定する（Ｓ１１３）。当該場合（Ｓ１１４のＮＯ）は、ユーザが複数であり、第２のユーザが入浴するのを待ち、脱衣室をヒータ弱で加温している状態である。従って、第２のユーザが脱衣室に入ったときには、脱衣室は予め温められている。
【００４４】
一方、Ｓ１１４において周囲に人が存すると判定した場合（Ｓ１１４のＹＥＳ）には、加温制御部４０２は、ヒータ２０２部をヒータ強に制御する（Ｓ１１５）。そして、Ｓ１０１に進む。当該場合（Ｓ１１４のＹＥＳ）は、第２のユーザが入浴するのを待ち、脱衣室をヒータ弱で加温中に、第２のユーザが脱衣室に入ってきた状態である。予めヒータ弱で加温されていた脱衣室をヒータ強で加温するので、第２のユーザが脱衣室に入ったとき、速やかに、脱衣室を加温することができる。
【００４５】
本実施形態によれば、ユーザが、風呂から上がって、脱衣室に入ったときには、脱衣室はヒータ強またはヒータ弱で加温されており、ユーザは温かく、寒い思いをすることを回避し得る。
【００４６】
なお、図５に示した暖房機１００の処理フローは一例であって、これに限定されるものではない。
【００４７】
本発明は、種々の変形が可能である。例えば、上述の構成と実質的に同一の構成、同一の作用効果を奏する構成又は同一の目的を達成することができる構成で置き換えることができる。
【００４８】
上記では、暖房機１００の周囲の照明状況を、照度センサ３０４により取得する例で説明したが、これに限定されるものではない。例えば、照明状況は、浴室及び脱衣室の照明装置のＯＮ・ＯＦＦを表わす情報であってもよい。この場合、例えば、ネットワークと通信する通信部(図示せず)を暖房機１００に設け、通信部を介し浴室及び脱衣室の照明装置のＯＮ・ＯＦＦを示す情報を取得するように構成してもよい。そして、例えば、照度判定部４０４は、入浴中照度以上か否かを判定する代わりに、浴室及び脱衣室の照明装置のＯＮ・ＯＦＦを示す情報がＯＮかＯＦＦかを判定する。
【００４９】
なお、暖房機１００の電源ＯＮ後、最初に人存否判定部４０１が暖房機１００の周囲に人が存しないと判定した場合に、加温制御部４０２はヒータ弱で制御するように構成してもよい。お湯を張り入浴するまでのユーザの行動フローは、例えば、給湯機を操作し、給湯を開始させ、暖房機１００の電源をＯＮにし、お湯が張るのを待つため、その場を離れると進む。従って、ユーザが脱衣室を離れる間、暖房機１００をヒータ弱で運転すれば、ユーザは入浴する際温かい。そこで、最初に人存否判定部４０１が暖房機１００の周囲に人が存しないと判定した場合に、加温制御部４０２はヒータ弱で制御するように構成してもよい。具体的には、ユーザが暖房機１００の電源をＯＮにする際には、暖房機１００の周囲に立つので、人存否判定部４０１は、周囲に人が存すると判定する。次に、お湯が張るのを待つため、ユーザはその場を離れるので、人存否判定部４０１は暖房機１００の周囲に人が存しないと判定する。これにより、暖房機１００の電源ＯＮ後、最初に人存否判定部４０１が暖房機１００の周囲に人が存しないと判定した場合に、加温制御部４０２はヒータ弱で制御するので、お湯が張るのを待つためユーザがその場を離れると想定される期間中、脱衣室をヒータ弱で加温することができ得る。
【００５０】
また、リモコンで、例えば台所から給湯機を操作し、給湯する場合には、リモコンからの操作信号を取得できるように暖房機１００を構成し、暖房機１００が給湯を開始する信号を取得したとき、暖房機１００の電源をＯＮし、加温制御部４０２が、ヒータ弱で制御するように構成してもよい。この場合も上記と同様に、お湯が張るのをユーザが待つ間、脱衣室はヒータ弱で温められる。
【００５１】
なお、特許請求の範囲における照明状況認識部は、例えば、上記における照度センサ３０４に相当する。
【符号の説明】
【００５２】
１００・・・暖房機、１０１・・・筐体、１０２・・・吹出口、１０３・・・吸込口、１０４・・・操作部、１０５・・・表示部、２０１・・・送風機、２０２・・・ヒータ、２０３・・・モータ、２０４・・・ファン、３０１・・・制御部、３０２・・・記憶部、３０３・・・加温部、３０４・・・照度センサ、３０５・・・人感センサ、４０１・・・人存否判定部、４０２・・・加温制御部、４０３・・・照度取得部、４０４・・・照度判定部、４０５・・・タイマ部、４０６・・・モード判定部
【図１】
2020134113.tif 000003
【図２】
2020134113.tif 000004
【図３】
2020134113.tif 000005
【図４】
2020134113.tif 000006
【図５】
2020134113.tif 000007